Podtech/llm-jp-corpus-v4-ja_patent huggingface dataset:
(57)【要約】【課題】  金型などの重量物の取出或は収納作業が安全であり、又有効収納容積の大きいものを安価に提供しようとするものである。【解決手段】  上面を開放して出入空間を列設し内部の載置面に金型等の物品の収納を自在とした収納体と、該収納体の上面を走行自在なるよう列設した複数個の台車とよりなり、該台車を移動させることにより前記出入空間の少なくとも1つを開放自在とし、収納体の上面側部に台車の側部を隠蔽する安全板を設けて前記台車の停止位置にロック凹部を設け、ロックする台車の側部には上下に回転自在なロック杵を設けて前記ロック凹部に手動により嵌合自在としたものである。【選択図】    図１  
0003109998.tif 000002
【実用新案登録請求の範囲】
【請求項１】
上面を開放して出入空間を列設し内部の載置面２に金型等の物品の収納を自在とした収納体と、該収納体の上面を走行自在なるよう列設した複数個の台車とよりなり、該台車を移動させることにより前記出入空間の少なくとも一つを開放自在とし、収納体の上面側部に台車の側部を隠蔽する安全板を設けて前記台車の停止位置にロック凹部を設け、ロックする台車の側部には上下に回転自在なロック杵を設けて前記ロック凹部に手動により嵌合自在とした多段式整理棚。
【考案の詳細な説明】
【技術分野】
【０００１】
本考案は金型等を収納したり、或は取り出すのに便利な整理棚に関するものである。
【従来の技術】
【０００２】
従来のこの種の整理棚は引出式とか上下の回転板に収納する方式等がある。
【従来の技術の欠点】
【０００３】
然し乍ら引出方式にあっては取出或は収納作業中に前側に荷重がかかりすぎてスムーズな移動ができなかったり傾斜する恐れがあり、然も地震の時などには金型自体が前側に滑り落ちてしまう危険性があり、そのため災害時には前側に倒れたり、滑り落ちなくするための設備が必要となり、取付工事に負担がかかりすぎるなどの欠点がある。
【０００４】
又回転方式にあっては収納するものが重量のあるものほど大仕掛けで高価な装置であり、而も比較的収納容積が小さく一般的でない。
【考案の開示】
【考案が解決しようとする課題】
【０００５】
本考案はこれらの欠点を解消すべく開発されたもので、有効収納容積が充分で且つ収納作業、取出作業が安全、容易に行えるものを提供しようとするものである。
【課題を解決するための手段】
【０００６】
上面を開放して出入空間を列設し内部の載置面に金型等の物品の収納を自在とした収納体と、該収納体の上面を走行自在なるよう列設した複数個の台車とよりなり、該台車を移動させることにより前記出入空間の少なくとも1つを開放自在とし、収納体の上面側部に台車の側部を隠蔽する安全板を設けて前記台車の停止位置にロック凹部を設け、ロックする台車の側部には上下に回転自在なロック杵を設けて前記ロック凹部に手動により嵌合自在としたものである。
【考案の効果】
【０００７】
本案は、上面を開放して出入空間１、１…を列設し内部の載置面２に金型等の物品の収納を自在とした収納体３と、該収納体３の上面を走行自在なるよう列設した複数個の台車４、４…とよりなり、該台車４、４…を移動せしめることにより前記出入空間台車１、１…の少なくとも１つを開放自在とし、収納体３の上面側部に台車４、４…の側部を隠蔽する安全板５を設けて前記台車４の停止位置にロック凹部６を設け、ロックする台車４の側部には上下に回動自在なロック杵７を設けて前記ロック凹６に手動により嵌合自在としたので、作業中或は作業しないときでも各台車の一部或は全部はロック杵７をロック凹部６が嵌合していて不用意に動くことなく安全である。
【０００８】
又安全板を設けてあるので作業中に台車に衣服、指等を挟んだりする危険性がないので安全である。
【０００９】
又上下の空間の内１つの出入空間以外は金型等を収納できるので有効収納容積も大きく比較的狭い空間に多数のものを収納することができる。
【実施例】
【００１０】
本考案を図示の実施例によって詳記すると、上面を開放して等間隔の出入空間１、１…を列設し内部の載置面２に金型等の物品を収納自在とした収納体３と、該収納体３の上面を走行自在なるよう列設した前記出入空間１の長さと略等しい複数個の台車４、４…とよりなっている。
【００１１】
該台車４、４…は収納体３の上面に設けたレール手段８を移動せしめることにより前記出入空間１、１…の１つ以上を開放するようになっている。
【００１２】
収納体３の上面側部（レール手段８）に台車４、４…の車９、９、レール手段８等の側部を隠蔽する安全板５を設けて前記台車４の移動停止位置にロック凹部６を刻設し、ロックする台車４の側部に設けた上下に回転自在なロック杵７を前記ロック凹部６に手動により嵌合自在としたものである。
【００１３】
図中１０は取っ手である。
【考案の作用】
【００１４】
本考案は以上の如く具現されるもので、先ず収納体３の載置面２に金型等を出入させるには所要位置の出入空間１を空けるよう取っ手１０を持って台車４、４…を移動し、端部の台車４のロック杵７を回動してロック凹部６に嵌合し台車４が不用意に動かないようロックする。
【００１５】
台車４上に金型を載置するには、当該台車４のロック杵７を所要位置のロック凹部６に回動してロックし、クレーン等により吊るして載置する。
【図面の簡単な説明】
【００１６】
【図１】本考案の側面説明図。
【図２】ロック凹部とロック杵部分の拡大説明図。
【符号の説明】
【００１７】
１    出入空間
２    載置面
３    収納体
４    台車
５    安全板
６    ロック凹部
７    ロック杵
８    レール手段
【図１】
0003109998.tif 000003
【図２】
0003109998.tif 000004
(57)【要約】      （修正有）【課題】家庭の台所の流し台と一体に組み込んで、排出される生ごみを細かく粉砕した後に離水し、その後、乾燥させて植物の肥料として利用することができるビルトイン型生ごみ処理装置の提供。【解決手段】流し台の生ごみ排出口から水とともに排出された生ごみは、粉砕器１０により粉砕され、水とともに粉砕物受けに排出され、出し入れ可能なメッシュ籠の中に留まり、水のみが排水口から排出される特徴的構成手段の採用。【選択図】図１
0003109908.tif 000002
【実用新案登録請求の範囲】
【請求項１】
流し台の生ごみ排出口に接続して設置され、上部に当該生ごみ排出口と直結する流入口を底部に排出口を備え、生ごみを粉砕する粉砕器と、
当該粉砕器の底部直下に一端寄り上部開放域に接して一体設置され、その余の開放域に亙る上部に蓋を、かつ底部に排水口を備え、内部にメッシュパンを敷き込み固定し、開閉する前記蓋を通して当該メッシュパン内全体に出し入れ自在にメッシュ籠を収容し、生ごみ粉砕物から離水する粉砕物受けと、
からなるビルトイン型生ごみ処理装置。
【考案の詳細な説明】
【技術分野】
【０００１】
本考案は、流し台と一体に組み込むことにより、家庭の台所から出る生ごみを細かく粉砕し、その後の処理を容易にする装置に関する。
【背景技術】
【０００２】
従来、家庭の台所から出る生ごみは流し台に設置した籠等に入れ、ごみ収集日にまとめて袋に入れたものを自治体が回収して焼却処理しているが、排出量の増加に加えてダイオキシン対策などによる処理費用の増加や、ごみ収集所において悪臭の発生やカラスや野良犬がごみ袋を食い散らかすなどの問題がある。
生ごみを粉砕処理する機械としての粉砕器（いわゆるディスポーザ）は存在するが、これは生ごみを粉砕して下水道に流すものであるため、下水道が詰まったり、河川を汚染させるおそれがある。
また、生ごみを粉砕処理した後に乾燥させて再利用するための装置もあるが、大規模なものであり、一般家庭で流し台と一体で使用できる簡易なコンパクト型装置はなかった。
【考案の開示】
【考案が解決しようとする課題】
【０００３】
本考案は、家庭の流し台と一体に組込み設置でき、生ごみを細かく粉砕し、下水道に排出することなく、その後粉砕生ごみを乾燥させて肥料として再利用できる状態にする装置を提供することである。
【課題を解決するための手段】
【０００４】
本考案は、上記課題を解決する手段として、流し台の生ごみ排出口に接続して設置され、上部に当該生ごみ排出口と直結する流入口を底部に排出口を備え、生ごみを粉砕する粉砕器と、当該粉砕器の底部直下に一端寄り上部開放域に接して一体設置され、その余の開放域に亙る上部に蓋をかつ底部に排水口を備え、内部にメッシュパンを敷き込み固定し、開閉する前記蓋を通して当該メッシュパン内全体に出し入れ自在にメッシュ籠を収容し、生ごみ粉砕物から離水する粉砕物受けと、からなる組合構成とした。
【考案の効果】
【０００５】
本考案のビルトイン型生ごみ処理装置を使用することにより、ごみ収集所における悪臭の防止やごみの量の減少に伴う運搬・焼却等の費用を節約できるという利点がある。
また、生ごみ粉砕物を取り除き水のみを下水に流すことにより河川の汚染を防止するだけでなく、ごみ収集所においてカラスや犬等にごみを食べ荒されることがなくなり、環境の浄化につながるという効果もある。
更に、ビルトイン型生ごみ処理装置による生ごみ粉砕物を乾燥させることにより、花や植木の自然肥料として再利用できるという効果も奏する。
【考案を実施するための最良の形態】
【０００６】
生ごみを細かく粉砕処理し、脱水し、その後、乾燥させて植物等の肥料として再利用するという目的を、一般家庭の台所の流し台の下に組み込むことで実現した。
以下、本考案の実施形態例を添付図面に基づいて説明する。
【０００７】
図１において、１０は上部に流し台の生ごみ排出口に直結接続する流入口１１を備えた粉砕器であって、底部には生ごみ粉砕物及び水を排出する排出口１２を備える。粉砕器１０の底部には、排出口１２と一端寄り上部開放域が接するように粉砕物受け２０が一体的に設置されて斜面Ｌ字形を全体的に呈している。
【０００８】
図２に示すように、粉砕物受け２０の底部には、水を排出する排水口２３が設けられ、粉砕器１０の底部と接する一端寄り開放域以外に亙る開放域の上部には蓋２１を備え、当該蓋２１は粉砕器１０と接する側の一辺がヒンジ２２等で止められており、他端を上下させることにより開閉可能となっている。
【０００９】
図３は長方形メッシュパン２４、図４は長方形メッシュ籠２５であり、いずれもステンレス等の錆びない材料でできており、メッシュの網目は生ごみ粉砕物が通過しない程度の大きさとなっている。
【００１０】
メッシュパン２４は、粉砕物受け２０の内部に、側面及び底面に密着させ、取り外しできないように敷き込んで設置し、メッシュ籠２５は、メッシュパン２４の内部全体に亙って出し入れ可能なように収容する。また、出し入れを容易にするため、メッシュ籠２５の深さは粉砕物受け２０の深さより若干浅くし、一端に把手２６を取り付ける。
【００１１】
次に本実施形態例の動作を説明する。まず最初の粉砕処理は、調理で生じた生ごみが水とともに流し台の生ごみ排出口から流入口１１を通過して粉砕器１０に流入し、粉砕器１０は流れ込んできた生ごみを粉砕して細分化する。その後、水とともに排出口１２から排出する。
【００１２】
続く離水処理では、粉砕物排出口１２から水とともに排出された生ごみの粉砕物は粉砕物受け２０一端寄りに流れ込み、粉砕物受け２０の内部に設置されたメッシュ籠２５で受け止められ、メッシュパン２４とメッシュ籠２５の二重の網目によって生ごみ粉砕物のみがメッシュ籠２５の中に留まり、水分は網目を通過し粉砕物受け２０の底部に設けられた排水口２３から外部へ排出され、離水される。
【００１３】
メッシュ籠２５の中で離水された生ごみ粉砕物は、数日毎に、粉砕物受け２０の蓋２１を開けメッシュ籠２５ごと取り出し、別途乾燥させた後に植物の肥料として再利用する。
【産業上の利用可能性】
【００１４】
ビルトイン型生ごみ処理装置の規模を大きくすることにより、生ごみが大量に発生する業務施設（外食産業、給食センター等）に適用すれば、農家の自然肥料としても利用できる。
【図面の簡単な説明】
【００１５】
【図１】本考案の実施例を示す斜視図
【図２】同じく粉砕物受けの蓋を開いた状態の斜視図
【図３】メッシュパンの斜視図
【図４】メッシュ籠の斜視図
【符号の説明】
【００１６】
１０  粉砕器
１１  流入口
１２  粉砕物排出口
２０  粉砕物受け
２１  蓋
２２  ヒンジ
２３  排水口
２４  メッシュパン
２５  メッシュ籠
２６  把手
【図１】
0003109908.tif 000003
【図２】
0003109908.tif 000004
【図３】
0003109908.tif 000005
【図４】
0003109908.tif 000006
(57)【要約】【課題】  患者を移すときに補助者が必要でないようにし、患者の苦痛と医者の疲労を最低限に抑えられるようにする多目的台車を実現することを課題とする。【解決手段】梁（７）と、該梁（７）の下に設けてある昇降柱（９）及び油圧機構（１０）と、この油圧機構（１０）と連結してあるユニバーサルホイール（１２）とを有する。梁（７）の上に横方向に滑って動くベッド板（３）が設置してあり、ベッド板（３）はスキッド（１）を利用して両側に移動可能である。該ベッド板（３）は案内ロール（５）とコンベア（４）とで構成してある。ベッド板（３）の内部に手動或いは電動で操作可能であるギヤ組み合わせ（６）が設けてある。【選択図】  図１
0003109927.tif 000002
【実用新案登録請求の範囲】
【請求項１】
梁（７）と、該梁（７）の下に設けてある昇降柱（９）及び油圧機構（１０）と、この油圧機構（１０）と連結してあるユニバーサルホイール（１２）とを有し、
前記昇降柱（９）は位置決め機構（８）を介して前記梁（７）と連結してあり、
該梁（７）の両端にスキッド（１）が設けてあり、
該スキッド（１）の中に滑車（２）が設置してあり、
該梁（８）の上に横方向に滑って動くベッド板（３）が設置してあり、該ベッド板（３）が該スキッド（１）を利用して両側に移動可能である構成であり、
該ベッド板（３）は案内ロール（５）とコンベア（４）とで構成してあり、
該ベッド板（３）の内部に手動或いは電動で操作可能であるギヤ組み合わせ（６）が設けてあり、
前記ユニバーサルホイール（１２）は車体フレーム（１３）で連結されており、該車体フレーム（１３）に油圧スイッチ（１４）が設置してある構成とした多目的台車。
【考案の詳細な説明】
【技術分野】
【０００１】
本考案は多目的の利用に便利な台車に関する。
【背景技術】
【０００２】
従来、病院で患者を移動するのに使用されている台車は、四つの脚にユニバーサルホイールが設けてあるタイプである。高さの調整は調節ハンドルを操作して行う構成である。
【考案の開示】
【考案が解決しようとする課題】
【０００３】
このため、患者を病院のベッドから台車に、台車から手術台に、手術台から台車に、台車からベッドに移すときには、看護婦、患者の家族、医者等の手助けが必要であった。また、この移動のときに患者は痛みを感じて苦痛であり、また、手術切り口の回復を遅らせていた。
【０００４】
そこで、本考案は上記課題を解決した多目的台車を提供することを目的とする。
【課題を解決するための手段】
【０００５】
本考案は、梁（７）と、該梁（７）の下に設けてある昇降柱（９）及び油圧機構（１０）と、この油圧機構（１０）と連結してあるユニバーサルホイール（１２）とを有し、
前記昇降柱（９）は位置決め機構（８）を介して前記梁（７）と連結してあり、
該梁（７）の両端にスキッド（１）が設けてあり、
該スキッド（１）の中に滑車（２）が設置してあり、
該梁（７）の上に横方向に滑って動くベッド板（３）が設置してあり、該ベッド板（３）が該スキッド（１）を利用して両側に移動可能である構成であり、
該ベッド板（３）は案内ロール（５）とコンベア（４）とで構成してあり、
該ベッド板（３）の内部に手動或いは電動で操作可能であるギヤ組み合わせ（６）が設けてあり、
前記ユニバーサルホイール（１２）は車体フレーム（１３）で連結されており、該車体フレーム（１３）に油圧スイッチ（１４）が設置してある構成とした。
【考案の効果】
【０００６】
ベッド板が案内ロールとコンベアを有する構成であり、このベッド板が油圧機構によって梁と共に昇降され且つ梁と平行に横に移動される構成であることによって、患者をベッド板３からベッドへ移すときに補助者が必要であるという問題を解決することが可能である。また、患者の苦痛と医者の疲労を最低限に抑えることが可能である。
【考案を実施するための最良の形態】
【０００７】
次に本考案の実施の形態について説明する。
【実施例１】
【０００８】
図１に示すように、本考案の多目的台車２０は、梁７と、この梁７の下に設けてある昇降柱９及び油圧機構１０と、この油圧機構１０に連結してあるユニバーサルホイール（キャスタ）１２とで構成してある。昇降柱９の上端は位置決め機構８を介して梁７と連結してある。
【０００９】
梁７の両側にスキッド１が設けてある。このスキッド１の中に滑車２が設置してある。梁７の上にベッド板３が設置してあり、このベッド板３はスキッド１を利用して横方向に両側に滑って移動可能である。
【００１０】
ベッド板３は、案内ロール５とコンベア４とで構成してある。また、ベッド板３は内部にギヤ組み合わせ６が設けてある。このギヤ組み合わせ６は手動或いは電動で操作可能である。
【００１１】
ユニバーサルホイール１２は車体フレーム１３で連結してある。車体フレーム１３に油圧スイッチ１４が設置してある。
【００１２】
ベッド板３は、図２に示すように、スキッド１から横方向に滑って動いて、横方向に突き出る。
【００１３】
上記構成の多目的台車２０は、以下の４つの効果を有する。
（１）使用上、安全性及び安定性を有し、多目的に使用出来る。多目的台車は、病院で患者をベッドから手術台に運搬するときに、或いは手術台からベッドへ運搬するときに使用出来る。ベッド板３は、油圧機構１０によって梁７と共に昇降され、且つ、図２に示すように、梁７と平行に横に移動される。よって、患者をベッド板３からベッドへ移すときに補助者が必要であるという問題を解決することが可能である。また、患者の苦痛と医者の疲労を最低限に抑えることが可能である。
（２）患者を移動するのに便利であり、省力である。案内ロール５によって支持されているコンベア４を案内ロール５を回転させつつ動かすことによって、患者をベッド板３上で楽に移動させることが出来る。
（３）ベッド板３の内部のギヤ組み合わせ６をセットすることによって、自動的に複数のファンクションに入り、種々の動作、例えば、ベッド板３の移動、コンベア４への伝動、ベッド板３とコンベア４の連動が行われる。これによって、患者をベッドから台車へ、逆に台車からベッドに移動させることが出来る。
（４）機構が複雑でないので、製作コストが低い。
【図面の簡単な説明】
【００１４】
【図１】本考案の多目的台車の全体の断面図である。
【図２】本考案の多目的台車を側方からみて示す断面図である。
【符号の説明】
【００１５】
１  スキッド
２  滑車
３  ベッド板
４  コンベア
５  案内ロール
６  ギヤ組み合わせ
７  梁
８  位置決め機構
９  昇降柱
１０  油圧機構
１２  ユニバーサルホイール
１３  車体フレーム
１４  油圧スイッチ
２０  多目的台車
【図１】
0003109927.tif 000003
【図２】
0003109927.tif 000004
(57)【要約】【課題】電流供給と電気事故の保護機能を簡単な作業と大きな費用負担を掛けず達成するヒューズ機能付きバスバーを得る。【解決手段】電気伝導度の優れた銅材からなる長方形の平板状１は、その中央部に板厚の１／２程度の肉厚の凹状で、さらに平面に対してくびれた狭隘部２が形成され、平板状１の両端には外部回路と連結するためのネジ穴４、５が設けられている。狭隘部２は耐熱性熱収縮チューブ３の中央に被せ、平板状１に密着固定される。【選択図】図１
0003109953.tif 000002
【実用新案登録請求の範囲】
【請求項１】
導電性材料からなる長方形の平板状（１）であって、その中央は板厚に対して凹状に成形され平面に対してはくびれた狭隘部（２）を設け、その周囲を耐熱性熱収縮チューブ（３）が覆うとともに、その両端には外部回路と連結するためのネジ穴（４、５）を設けたヒューズ機能付きバスバー。
【請求項２】
導電性材料からなる長方形の平板状（１）に係止部（６）を設け耐熱性熱収縮チューブを係止する請求項1記載のヒューズ機能付きバスバー。
【請求項３】
導電性材料からなる長方形の平板状（１）であって、その中央は板厚に対して凹状に成形され、平面に対してはくびれた狭隘部（２）の周囲をマイカ（３）が覆う請求項1記載のヒューズ機能付きバスバー。
【考案の詳細な説明】
【技術分野】
【０００１】
本考案は、自動車のDC１２Vのバッテリーから各種電気部品に電流を供給する主幹バスバーに係るものであり、ヒューズ機能の付いたバスバーに関するものである。
【背景技術】
【０００２】
特開２００３−３７９１８公報の中に絶縁板上に平置きバスバーに細幅部からなるヒューズ部を設け、これによりヒューズの取付けを無くしてスペースの減少、部品点数を削減を図ったものがあるが、近年の自動車技術はバッテリーの出力部においてモーター等の電気部品を駆動させる場合、２００A~３００Aと非常に大きな電流を流すものとなりヒューズとして４００〜５００Aと今まで以上の大容量を必要としリレーボックス内に収納が困難なものとなり、電気事故の保護に対しては樹脂製ハウジング内にヒューズを収納した電流ヒューズが知られている。（特開２０００−１１３８０３公報参照）。
【考案の開示】
【考案が解決しようとする課題】
【０００３】
背景技術で述べたものでリレーボックス内のバスバーにヒューズ部を設けたものは、２００A~３００Aと非常に大きな電流を流す場合、リレーボックスを構成する樹脂を変形させる等、発熱が大きくなりすぎて対応出来ない問題を有している。
【０００４】
また樹脂製ハウジング内にヒューズを収納したものは、ハウジング内部を目視で確認をする為、一方のハウジングを透明な樹脂とした二つのハウジングを組み付ける必要がある為、更に大きい空間の確保を必要とする問題点を有していた。
【０００５】
本考案は、従来の技術の有するこのような問題点を考え合わせ、その目的とするところは、電流供給と電気事故の保護機能を正確且つ、メンテナンスを簡単な作業にし、大きな費用負担を掛けず達成するヒューズ機能付きバスバーを提供しようとするものである。
【課題を解決するための手段】
【０００６】
上記目的を達成するために、本考案におけるヒューズ機能付きバスバーは、導電性材料からなる長方形の平板状であって、その中央は板厚に対して凹状で平面に対しくびれた狭隘部が設けられ、その周囲を耐熱性熱収縮チューブが覆うとともに、その両端には外部回路と連結するためのネジ穴を設けたものである。
【０００７】
上記導電性材料からなる長方形の平板状に係止部を設け耐熱性熱収縮チューブを係止させることもできる。
【０００８】
また、上記導電性材料からなる長方形の平板状であって、その中央の板厚に対して凹状で平面に対しくびれた狭隘部の周囲をマイカで覆ってもよい。
【０００９】
ヒューズ機能付きバスバーは、その両端にある外部回路と連結するためのネジ穴の一方はバッテリーの端子に、もう一方のネジ穴は電気部品に電流を供給する端子にボルトで固定される。
【００１０】
そして事故電流が流れると、中央の板厚に対して凹状で平面に対しくびれた狭隘部が溶断してヒューズ機能を成すものであり、狭隘部の周囲を覆う耐熱性熱収縮チューブは、溶断により発生する金属蒸気や溶融金属が周囲に飛散することを防止する。
【考案の効果】
【００１１】
本考案は、上述のように構成されているので、次に記載する効果を奏する。
【００１２】
請求項１のヒューズ機能付きバスバーにおいては、その中央に凹状で平面に対しくびれた狭隘部のある導電性材料からなる長方形平板に耐熱性熱収縮チューブを被せることで凹状及び狭隘部は耐熱性熱収縮チューブとの間に空気層の隙間を作り、直接耐熱性熱収縮チューブに接触することがなく、熱的中立性が確保される為、電気事故が発生して狭隘部が溶断するまでの時間的バラツキを最小限にすることが出来る。
【００１３】
請求項２のヒューズ機能付きバスバーにおいて、長方形平板の４箇所に係止部を設けたことにより、溶断により発生する金属蒸気や溶融金属が周囲に飛散することをより確実に防止することがでる。
【００１４】
請求項３のヒューズ機能付きバスバーにおいて、中央の凹状で平面に対しくびれた狭隘部をマイカで覆うことにより、耐熱性が向上しDC４８Vより高い電圧の回路でも使用することがでる。
【実施例】
【００１５】
実施例について図面を参照して説明する。
図１〜図２において、導電性材料からなる長方形の平板状１は、電気伝導度の優れた銅材を用い、その中央部は板厚の１／２程度の肉厚の凹状で、さらに平面に対してくびれた狭隘部２が形成され、平板状１の両端には外部回路と連結するためのネジ穴４、５が設けられている。
【００１６】
狭隘部２を覆うチューブ３は耐熱性熱収縮チューブを用い、長方形の平板状１の狭隘部２が中央に位置するよう被せた後、加熱し長方形の平板状１に密着固定される。
【００１７】
また、導電性材料からなる長方形の平板状１の４箇所に係止部６を設けることにより耐熱性熱収縮チューブを熱収縮させた際、収縮したチューブがこの係止部に嵌まり込み位置ずれと溶断により発生する金属蒸気や溶融金属が周囲に飛散することをより確実に防止することができる。
【００１８】
図１において耐熱性熱収縮チューブ３の代わりに耐熱性に優れたマイカを使用してもよい。
【図面の簡単な説明】
【００１９】
【図１】ヒューズ機能付きバスバーの平面図である。
【図２】ヒューズ機能付きバスバーの側面断面図である。
【図３】係止部を有するヒューズ機能付きバスバーの平面図である。
【図４】係止部を有するヒューズ機能付きバスバーの側面断面図である。
【符号の説明】
【００２０】
１長方形平板
２凹状狭隘部
３耐熱熱収縮チューブ
４、５ネジ穴
６係止部
【図１】
0003109953.tif 000003
【図２】
0003109953.tif 000004
【図３】
0003109953.tif 000005
【図４】
0003109953.tif 000006
(57)【要約】      （修正有）【課題】障子紙の貼り替えの際、水等で湿らせて古い障子紙を剥がしたときに障子戸に残った古く硬化した糊やそれに付着した障子紙を剥がし落とすことができる極めて実用性に優れた画期的な障子用へらを提供する。【解決手段】竹製のへら１の両端に凹設部２とくさび形設部３を設けた。竹は適度の堅さと耐久性があり、凹設部２とくさび型設部３を斜めにすることで障子戸の組子や紙じゃくりと平面で接し、硬化した糊や紙残りの剥がしをより容易にしている。また凹設部がガイドの役目をするので組子から外れずに糊や紙残りを剥がすことができる。障子用へら。【選択図】図１
0003109952.tif 000002
【実用新案登録請求の範囲】
【請求項１】
へらの両端の先端部に凹設部とくさび形設部を設けたことを特徴とする障子用竹べら。
【考案の詳細な説明】
【技術分野】
【０００１】
本考案は古い障子紙を剥がしたあとに残った障子紙や糊残りを剥がし落とすことに使用
する障子用へらに関するものである。
【考案の開示】
【考案が解決しようとする課題】
【０００２】
従来、障子戸に剥がし残った障子紙や硬化して落ちにくい糊は、濡れ布きんで何度も
こすったりたわしで洗うなどしている。
しかしながら上記のような方法では、硬化した糊は落ちにくくたわしでこすり過ぎると木がささくれたりして障子戸を傷める要因になっていた。
【０００３】
本考案は、障子戸を傷めず硬化した糊を容易に剥がし落とすことができる実用性に優れ
た障子用たけべらを提供することを目的としている。
【課題を解決するための手段】
【０００４】
添付図面を参照して本考案の要旨を説明する。
【０００５】
へら１の両端の先端部に凹設部２とくさび形設部３を設けたことを特徴とする障子用へら
に係るものである。
【考案の効果】
【０００６】
本考案は竹材を用いて凹設部２とくさび形設部３を設けることで障子戸を傷めることなく硬化した糊や紙残りの剥がしを容易に行なうことができる。
【考案を実施するための最良の形態】
【０００７】
障子戸の紙じゃくり（上桟、下桟、縦かまち）に残った硬化した糊や紙残りは、へら１のくさび形設部３を利用して剥がし取る。また、組子に残った硬化した糊や紙残りは、へら１の凹設部２を利用して剥がし取る。凹設部がガイドの役目をすることで組子から外れずに糊や紙残りを剥がすことができる。
【実施例】
【０００８】
本実施例はへらの材質に竹材を利用することで適度な硬さと耐久性があり、金属へらの
ように障子戸を傷めることもなくまたゴムやプラスチック樹脂のへらのように障子戸を滑って剥がしづらくなることもない。
へら１の両端の形状について説明する。
【０００９】
凹設部２とくさび形設部３を斜めにすることで障子戸の組子や紙じゃくりと平面で接する
ことで硬化した糊や紙残りの剥がしをより容易にしている。また凹設部がガイドの役目を
することで組子から外れずに糊や紙残りを剥がすことができる。
【図面の簡単な説明】
【００１０】
【図１】本実施例の斜視図である。
【符号の説明】
【００１１】
１  へら
２  凹設部
３  くさび形          
【図１】
0003109952.tif 000003
(57)【要約】【課題】星型五角形の凧の飛揚時にも幾何学的形状をゆがみなく造形的に強調させ且飛揚性能をも向上させる骨組みと、中央ジョイントにより組立分解を可能にする。【解決手段】図形中心と頂点を結ぶ５本の骨１〜５は飛揚時にも風圧で星型五角形の形状を歪めることなく幾何学的な美を強調し、しかもその骨構造自体が、均一の風圧によるA、BとC、Dの左右シートに反りを発生させて安定させ、殊に下方Eのシートの風圧による反りは失速を防ぎ、幾何学的な風の流れが凧の飛揚性能をも向上させ、中心ジョイントJによって組立分解を容易にする。【選択図】図１
0003109982.tif 000002
【実用新案登録請求の範囲】
【請求項１】
星型五角形の中心と頂点を結ぶ５本を凧の骨組みとし、これら５本の骨をまとめるジョイントを中心に配置した凧。
【考案の詳細な説明】
【技術分野】
【０００１】
本考案は、飛揚性能に優れ且組立分解を容易とするための骨組みとジョイントを装備する星型五角形の凧に関するものである。
【背景技術】
【０００２】
従来から広く知られている連凧用の星型五角形の凧の骨組みは、和凧の骨組みに影響されており、そのほとんどが図２のような構造である。
【非特許文献１】「連凧」（石崎昭・戎美千子共著１９８１年１１月２６日第一版発行）の「エストレリータ」もその一例である。その横骨は、中央で曲げて反りを付けることにより凧を安定させる方法が最も一般的である。しかし、材質により、その曲げ角度等工作技術上に難点があり、飛揚性能にむらが生じる可能性も高い。また、糸目は横骨と縦骨の交点であることが、いかにも合理的であるように捉えられがちであるが、この十文字の箇所に連凧として揚げ糸をとりつけていくことは、かなり煩雑で、しかも凧の損傷につながる場合が多い。
【０００３】
加えて、図２の骨組み構造は、どのような形状にも応用できる凧の一般的な骨組みとしては評価されるべきであるが、本来星型五角形の形状と
必然的な関連はない。デザイン性を重視した星型五角形の凧には、その形状に適した骨組みが考案されるべきである。
【０００４】
さらに、図２の骨組み構造においては、二本の下斜骨の先端は、風力で後部に極度に圧され、ほとんど尾の役割を担い、安定性を増加する利点
を有するが、もとの星型五角形の形状は著しく損なわれ、造形美を失う難点があり、構造上も脆弱な面がある。上記
【非特許文献１】「連凧」（石崎・戎美千子共著）の「エストレリータ」においても、「余り安定の良い凧とはいえませんが、それだけに揚がったときにウネリが出て見あきません。」と述べられている。図２の骨組み構造における飛揚性能は、横骨の反りと二本の下斜骨の作用に依存しているが、星型五角形の凧の飛揚性能は、星型五角形の形状そのものを十分に活用した骨組み全体の構造から、より優れたものとして確保されるべきである。
【０００５】
また、図２の骨組みは、組立分解を考慮した構造ではなく、組立分解を可能にするには、更に工夫が要求される難点がある。
【考案の開示】
【考案が解決しようとする課題】
【０００６】
解決しようとする問題点は、従来の星型五角形の凧の骨組みでは、せっかくの星型五角形の幾何学的な形状を造形的に著しく損なうだけでなく、
凧としての飛揚性能からも星型五角形の幾何学的な形状そのものが持つ機能性を十分に発揮されずにいる点である。
【課題を解決するための手段】
【０００７】
本考案は、星型五角形の凧において、その図形中心と頂点を結ぶ５本の骨を構造とし、これら５本の骨をまとめるジョイントを図形中心に配置す
ることを最も主要な特徴とする。
【考案の効果】
【０００８】
本考案における図１のような骨組み構造をもつ星型五角形の凧においては、実際に空に飛揚する状況において、星型五角形の幾何学的な特徴
を、造形的にも機能的にも有効に活用発揮でき、図形中心に配置したジョイントJは、１〜５の５本の骨をまとめる役割と組立分解を容易にする利
点がある。
【０００９】
これを詳細に述べれば、造形的な面からは、風を受けて空に飛揚する状況においても、星型五角形の幾何学的な全体像をゆがめることなく、そ
のまま実現できる。また、１〜５の骨組み構造のシルエットは星型五角形の凧であることが強調され、骨組み構造そのものの幾何学的な美しさが空
に映える利点がある。
【００１０】
機能的な面からは、１〜５の５本の骨は、すべて反りを必要とせず、図１の糸目Mに揚げ糸が取り付けられた星型五角形の凧は、実際に空に飛
揚する状況において、図１のA、BとC、DとEに風の流れが振り分けられ、その各シート部分が風力に応じて圧されて、骨に反りをつけたと同様の
効果が生じる。A、BとC、Dのシート部分にかかる風力は左右に均等に流れ、横方向の反りを形成する。また、Eのシート部分にかかる風圧によ
る縦方向の反りの形成は、凧の失速を防ぎ、傾きを是正して凧を常に安定させる優れた働きをする。このように星型五角形の凧に、星型五角形の
幾何学的構造を利用して、機能的な面からも飛揚性能の効率化を実現した。
【００１１】
また、糸目は１点Mであるから、容易に連凧にすることができる。
【００１２】
更に本考案においては、１〜５の５本の等しい長さの骨は、その一端は星型五角形の各頂点に取り付けられ、もう一端は中心に配置したJのジ
ョイント穴に差し込まれる構造であるから、組立分解を容易にする利点がある。
【考案を実施するための最良の形態】
【００１３】
星型五角形の凧において、その図形中心と頂点を結ぶ５本の等しい長さの骨を構造とし、これら５本の骨をまとめるジョイントを図形中心に配置し
て、このジョイントへの５本の骨の差し込み取りはずしを可能にして実現した。
【実施例１】
【００１４】
図１は、本考案の１実施例の星型五角形の凧の裏面図である。星型五角形の凧の中心に７２°間隔であけられた五つの穴を有するJのジョイン
トと、この五つの穴に対応して、１〜５の頂点と中心を結ぶ５本の長さの等しい骨を配置し、ジョイントへの骨の差し込み取りはずしを可能にした。な
お、１〜５の骨はすべて取り外し可能であるが、実際上は、縦骨にあたる１とジョイントJは固定して、他の２〜５の骨を差し込み取りはずしできる構
造が望ましい。Mは糸目位置で、連凧も容易である。
【産業上の利用可能性】
【００１５】
予め７２°間隔で穴が開けられたジョイントが用意されてあれば、均一の材質の五本の骨で、簡単に星型五角形の凧を作ることができ、星型五
角形の幾何学的な形状と関連付けられた組立分解可能な骨組み構造によって、より高度な飛揚性能となり、単体でも、また連凧としても、空を背景
とする歪みのない星型五角形の造形美が実現される。
【図面の簡単な説明】
【００１６】
【図１】本考案の星型五角形の凧の骨組み構造を示した裏面図。（実施例１）
【図２】従来の星型五角形の凧の骨組み構造を示した裏面図。
【符号の説明】
【００１７】
１、２、３、４、５    五本の骨
A、B、C、D、E    各シート部分
J    中心ジョイント
M    糸目位置
【図１】
0003109982.tif 000003
【図２】
0003109982.tif 000004
(57)【要約】      （修正有）【課題】布団や枕等の寝具類の内部に、消臭不織布（スーパー消臭不織布Ｗ３５）を用い設けて悪臭を除去可能な快適消臭寝具を開発・提供する事にある。【解決手段】布団や枕等の寝具類の内部に繊維の先に臭いを吸着するカルボキシル基をグラフト重合させ、アンモニアやトリメチルアミンに対する吸着力が優れていて、一度吸着したらそのままの状態で離れることがない消臭不織布１（スーパー消臭不織布Ｗ３５）を用い設けたものである。【選択図】図１
0003109966.tif 000002
【実用新案登録請求の範囲】
【請求項１】
寝具類（Ｃ）の内部に、消臭不敷布（１）を用い、設けた事を特徴とする快適消臭寝具。
【考案の詳細な説明】
【技術分野】
【０００１】
この考案は、快適消臭寝具に関するものである。
【背景技術】
【０００２】
従来、背広や上着やズボン、或いは、シーツ、布団カバー、枕カバー等衣料品や寝具類は、夏季等に汗を掻き、汗の臭いで不愉快になる場合が往々にしてある。
【０００３】
そして、近年、『スーパー消臭不織布Ｗ３５』と称する消臭不織布が開発され注目を浴びているが、今のところ衣料品や寝具類に用いたものは見当たらない。
【０００４】
従って、上記課題を解決する為には、消臭不織布（スーパー消臭不織布Ｗ３５）を用いた衣料品や寝具類の開発が望まれている。その為、昨年末、背広や上着やズボン等の衣料品に用いた消臭被服の出願（実願２００４−６８９７）を終え、この度、新たに寝具類に用い、設けた快適消臭寝具を出願する。
【０００５】
又、これまでに出願された消臭性繊維に関する特許文献を参考の為に紹介する。（特許文献１〜２参照。）
【特許文献１】実開平７−０４０５６５
【特許文献２】特開２００３−０００４１９
【考案の開示】
【考案が解決しようとする課題】
【０００６】
そこで、上記課題を解決する為に、この考案は、寝具類の内部に、消臭不織布（スーパー消臭不織布Ｗ３５）を用い設けて悪臭を除去可能な快適消臭寝具を開発・提供する事にある。
【課題を解決するための手段】
【０００７】
この課題を解決する為に、この考案は、寝具類の内部に消臭不織布（スーパー消臭不織布Ｗ３５）を用い設けたものである。
【考案の効果】
【０００８】
この考案の効果として、寝具類の内部に消臭不織布（スーパー消臭不織布Ｗ３５）を用い設けた事で悪臭を除去し、快適な生活を送る事が出来る。
【０００９】
又、素材が綿１００％で人体や動物に対しても無害で、洗濯する事で繰り返し使用出来、又、アトピー性皮膚炎や敏感肌の方にも安心して使用出来る等極めて有益なる効果を奏するものである。
【考案を実施するための最良の形態】
【００１０】
この考案の最良の形態として、使用場所や環境等、用途に応じて効果が変化する為、用途に適合した大きさや取り付け位置を設定する事が重要である。
【実施例１】
【００１１】
そこで、この考案の一実施例を図１に基づいて詳述すると、布団（ＣＧ）や枕カバー（Ｐ）等寝具類（Ｃ）の内部に消臭不織布（１）を用い設けた事を特徴とする快適消臭寝具から構成される。
【００１２】
最初に、この考案に使用する公知のスーパー消臭不織布Ｗ３５（１）の機能と特長について概要を説明すると、生活環境での悪臭（汗・尿・腐敗臭）や気になる体臭（足の臭い・腋の臭い）、又、ノネナール（加齢臭）等の前身の物質に対して効果が有り、加齢臭に対する発生抑制効果が有り、いやな臭いだけを短時間で、強力に消臭し、アンモニアに対する消臭効果は活性炭の５倍以上と言われ、化学的消臭により効果が持続される。従って、洗濯や干す事によって、消臭機能が回復して、繰り返し使用出来る。又、黄色ぶどう球菌に関して高い抗菌性能が確認されており、更に、皮膚障害・経口毒性・突然変異原生・ホルマリン残留試験を全てクリアする等、安全性面で高い評価を得ている。
【００１３】
又、スーパー消臭不織布Ｗ３５（１）は、繊維の先に臭いを吸着するカルボキシル基をグラフト重合させたもので、特にアンモニアやトリメチルアミンに対する吸着力は優れていて、一度吸着したらそのままの状態で離れることがない。
【００１４】
次に、財団法人日本食品分析センターにて、実際に検体２ｇをテドラーバック内に入れ、空気を３Ｌ注入後、アンモニアを添加し、室温放置１０分・３０分・６０分・１２０分後に、テドラーバック内のアンモニア濃度を、検知間管を用いて測定したデータを紹介する。（図２参照。）
【００１５】
上記データ（図２）で判る様に、未加工の不織布は１２０分経過後もほとんど変化は見られないが、スーパー消臭不織布Ｗ３５（１）の方は、３０分経過後、９９．８％の消臭効果を発揮している。
【００１６】
そこで、図１は、上記のスーパー消臭不織布Ｗ３５（１）を布団（ＣＧ）や枕（Ｐ）等の寝具類（Ｃ）の内部に使用したもので、斜視図である。
【産業上の利用可能性】
【００１７】
この考案は、布団や枕等の寝具類に消臭不織布（スーパー消臭不織布Ｗ３５）を用い設ける事で、悪臭を除去し、快適な生活が送れる為、多くの消費者市場に寄与する点で産業上の利用可能性を有する。
【図面の簡単な説明】
【００１８】
【図１】この考案の一実施例を示し、寝具類の内部に消臭不敷布を用いた時の斜視図である。
【図２】この考案の参考資料を示し、未加工不織布とスーパー消臭不織布Ｗ３５のアンモニア濃度測定比較データである。
【符号の説明】
【００１９】
１  消臭不織布（スーパー消臭不織布Ｗ３５）
Ｃ  寝具類
ＣＧ  布団
Ｐ  枕
【図１】
0003109966.tif 000003
【図２】
0003109966.tif 000004
(57)【要約】      （修正有）【課題】毎日コツコツ持続して貯金を続けることを目的とした貯金箱を提供する。【解決手段】大小のコップ状の円筒を２つ重ねそのできた隙間にコインを挿入する。入れたコインが見えるように貯金箱の外枠となる円筒を透明にする。入れたコインが見えるため、入れ忘れを防止できる。【選択図】図１
0003109934.tif 000002
【実用新案登録請求の範囲】
【請求項１】
１日１コインを貯金するための貯金箱
【請求項２】
鉛筆立てを兼ねた貯金箱
【考案の詳細な説明】
【技術分野】
【０００１】  この考案は、鉛筆立てを兼ねた１日１コインずつ毎日続けてコツコツ貯金するための工夫がされた貯金箱である。
【背景技術】
【０００２】  従来の貯金箱は単に小銭を入れて貯めておく道具であった。小銭を入れるだけで、いくら貯まったのか数えてみないとわからなかった。また、目標に向けて毎日持続して貯金する貯金箱ではない。
【考案の開示】
【考案が解決しようとする課題】
【０００３】  貯金の意識を高め、貯金額の目標額を決め三日坊主にならず、無理なく毎日コツコツ持続して貯金を続けることを目的とした貯金箱はなかった。たとえ１日１コインではあっても持続することによって貯まった額の大きさに改めて驚くものである。毎日という簡単そうで一番難しい課題を克服するための考案である。
【課題を解決するための手段】
【０００４】  大小のコップ状の円筒を２つ重ね、そのできた隙間にコインを挿入できるようにする。コインは縦に４コ８列並ぶように外枠となる円筒の内側には縦に８本の仕切りをつける。内枠となる円筒の縁は外枠の円筒にかぶさるようにし、コイン投入口を設ける。一列には４コのコインを入れるため、投入口を４日ごと回転させながらコインを投入する。外枠の円筒は入れたコインが見えるように透明にし、下から日付となる数字を４日ごと８列３１日まで印字する。内側の空洞は鉛筆立て等として利用可能となる。
【考案の効果】
【０００５】  この貯金箱によって三日坊主にならず、確実に１日１コインの貯金ができる。たとえ入れ忘れたとしても、その日数分空白ができてしまうのでその分さかのぼってコインを投入することができる。そのため堅実に着実に１日１コインの貯金が達成される。たとえ１日１コインであっても毎日コツコツ持続することによって、その大きさを実感することは間違いない。
【考案を実施するための最良の形態】
【０００６】  貯金目標に見合った貯金箱の大きさを選択すると、１００円玉用の貯金箱では１ヶ月３，１００円。それを毎月繰り返すと１年で３６，５００円の貯金が無理なくできる。５００円玉用の貯金箱にすると１年で１８２，５００円の貯金となる。
【図面の簡単な説明】
【０００７】
【図１】本考案のパース図
【図２】平面図及び断面図
【符号の説明】
【０００８】１．内枠
２．外枠
３．コイン投入口
【図１】
0003109934.tif 000003
【図２】
0003109934.tif 000004
【手続補正書】
【提出日】平成16年12月20日(2004.12.20)
【手続補正１】
【補正対象書類名】実用新案登録請求の範囲
【補正対象項目名】全文
【補正方法】変更
【補正の内容】
【実用新案登録請求の範囲】
【請求項１】
大小の円筒を組み合わせ、コインを縦に挿入する隙間を作り出すことを特徴としたコップ型の貯金箱。
(57)【要約】      （修正有）【課題】発熱時の体温測定の即応性を確保するための携帯電話機を提供する。【解決手段】携帯電話機２の任意の場所に温度センサー素子１を組み込み、人体の額部分等に当てることにより、温度（体温）を携帯電話機の表示部３に即時に表示させ即応性を発揮させることにした。【選択図】図１
0003109937.tif 000002
【実用新案登録請求の範囲】
【請求項１】
携帯電話機の表面部に、任意の形状の温度センサー素子を組み込み、携帯電話機の表示部に温度を数値表示させて、体温計の機能を持たせてある携帯電話機。
【考案の詳細な説明】
【技術分野】
【０００１】本考案は、人の体温測定が時間や場所に制約されることなく実行できるよう、携帯電話機に温度センサー素子を組み込み、人体表面にあてることにより即座に体温を表示させるようにしたものである。
〔背景技術〕【０００２】従来は、体温計は通常、携帯しない測定具であり、即応性に欠けていた。
〔考案の開示〕
〔考案が解決しようとする課題〕【０００３】体温計は通常、携帯することはほとんどない。従って体温測定の必要性が突発した時の即応が困難である。
〔課題を解決するための手段〕【０００４】携帯電話機に体温計機能を持たせることにした。
〔考案の効果〕【０００５】携帯電話機の利便性・即応性・普及性を活用して、時間・場所の制約を受けることなく、体温測定が可能となり疾病の早期発見や予防に即時に対処することが可能となる。
【図面の簡単な説明】〔図１〕  温度センサー素子を組合せた携帯電話機例の立面図である。
【符号の説明】
１．    温度センサー素子
２．    携帯電話機
３．    携帯電話機の表示部
【図１】
0003109937.tif 000003
(57)【要約】【課題】本考案は、携帯電話などの携行位置や状況に気を遣わないと着信を確実に確認できないという課題に対し、人が普段習慣的に身に着けるものに振動装置を組み込むことを最も主要な特徴とする。【解決手段】日常習慣的に身に着けるブレスレットなど、肌に接触するものを着信通知装置とし、着信時には振動させることで、携行状態に特別な配慮をする必要がなくなり、周りに着信音で迷惑をかけることもなく、騒音の中に居ても確実に着信に気付くことができる。【選択図】        図１
0003109939.tif 000002
【実用新案登録請求の範囲】
【請求項１】
携帯電話から着信時の電波を受信する受信部と、振動モーターを駆動する駆動回路と、振動モーターおよび電池を、人が日常体の一部に接触させて持ち歩く物に内蔵することを特徴とする携帯電話用着信通知装置。
【考案の詳細な説明】
【技術分野】
【０００１】
本考案は、携帯電話などの着信に気付く事が容易な携帯電話用着信通知装置に関するものである。
【背景技術】
【０００２】
携帯電話やＰＨＳなどの移動体通信機器で着信を表す手段は、音により聴覚に訴える方法（着信音）、振動により皮膚感覚に訴える方法（バイブレーター）、光により視覚に訴える方法（ＬＥＤ）の３種類が実用に共されている。
【０００３】
前記３種類の伝達手段は、利用者が回りの状況を判断して使い分けている。通常は着信音とすることが多く、周りの人に不快感を与えるなどの場合には振動による方法とし、光は着信中の補助的表示である場合が多い。
【０００４】
しかし、着信音は周りの騒音が大きい場合や、蓋が付いた入れ物の中に携帯電話を入れている状況などでは聴き取りにくく、振動による方法も携帯電話が体の一部に触れる位置になければ気付きにくく、例えば胸ポケットに入れても前かがみの姿勢では体から離れてしまうため振動が伝わらないという欠点があった。
【０００５】
携帯電話を使用する場合、この欠点は着信を察知する上で大きな障害である。具体的には、着信に気付かず発信者に迷惑をかけたり、大事な情報を手に入れ損ったり、あるいは、携帯電話を持ち運ぶときには体に密着する位置に限定されるなどの問題があった。
【０００６】
この改善策として、携帯電話着信時の電波を捉えて光または振動で知らせるキーホルダー型の補助機器がある。図２はこの補助機器による着信察知を示すための説明図であって、それぞれの位置関係を表す図である。図２で、７はバッグ、８はキーホルダー型補助機器、９は胸ポケットである。しかしこの方法でも、補助機器の光を見逃したり、振動を感知しやすいように体に密着した位置となるように気遣う必要がある。
【考案の開示】
【考案が解決しようとする課題】
【０００７】
解決しようとする問題点は、携帯電話の携行位置や状況に気を遣わないと着信を確実に確認できない点である。
【課題を解決するための手段】
【０００８】
本考案は、携帯電話などの着信を確実に補足可能とするため、人が普段習慣的に身に着けるものに振動装置を組み込むことを最も主要な特徴とする。
【考案の効果】
【０００９】
以上説明したように本考案の携帯電話用着信通知装置は、日常習慣的に身に着けるものが着信を感知して振動するため、周りに大きな音で迷惑をかけることもなく、騒音の中に居ても確実に感じ取れるという利点がある。また補助的または遊び心的な意味で、LEDにより視覚的にも通知するデザインとすることができる。
【考案を実施するための最良の形態】
【００１０】
携帯電話器の着信を人が身に着けた装置が感知し、振動などにより気付かせるという目的を、最小の部品点数で軽量化し、装着感を損なわずに実現した。
【実施例】
【００１１】
図１は、本考案装置の１実施例の実装形態を表す図であって、２がブレスレット型装置である。また、３は電池、４は受信部、５は駆動回路、６は振動モーターである。
【００１２】
受信部４は携帯電話が着信の際発する電波を常に受信待機しており、駆動回路５を通して振動モーター６が駆動される。本考案の主体は着信を補足する振動装置の実装対象にあるので、電子、機構系の説明は省略する。
【００１３】
このようにブレスレットとして装着する使用形態を採用したので、携帯電話自体は持ち歩く際の位置や周りの状況に気を遣うことなく、すぐに通話できるように身の回りにあるという最小限の条件のみで確実に着信を感知することができる。さらに、日常習慣的に身に着けるものであることから、特別に装置の持ち運びを意識しなくてすむ効果がある。
【００１４】
図１の実施例はブレスレット型であるが、腕時計型、ペンダント型、ネックレスまたはチョーカー型、アンクレット型なども考えられ、さらに小型化技術の進歩とともに指輪型、イヤリング型など身に着けるものであれば、どんなものでも利用可能である。また、眼鏡型の場合にはその視界内にLEDによる発光表示を行えば効果的な着信通知とすることができる。
【図面の簡単な説明】
【００１５】
【図１】携帯電話用着信通知装置の実装形態を表す図である。
【図２】本考案を使用しない従来のキーホルダー型補助機器の使用形態説明である。
【符号の説明】
【００１６】
１    携帯電話器
２    ブレスレット型装置
３    電池
４    受信回路
５    駆動回路
６    振動モーター
７    バッグ
８    キーホルダー型の補助機器
９    胸ポケット
【図１】
0003109939.tif 000003
【図２】
0003109939.tif 000004
【手続補正書】
【提出日】平成17年2月21日(2005.2.21)
【手続補正１】
【補正対象書類名】実用新案登録請求の範囲
【補正対象項目名】全文
【補正方法】変更
【補正の内容】
【実用新案登録請求の範囲】
【請求項１】
携帯電話から着信時の電波を受信する受信部と、該受信部から出力される電気信号を電力に変換して振動モーターを駆動する駆動回路と、該駆動回路に電気的に接続した振動モーターおよび各々にその電源供給の目的で接続した電池を、人が日常体の一部に接触させて持ち歩くブレスレット型の筐体に内蔵したことを特徴とする携帯電話用着信通知装置。
【手続補正２】
【補正対象書類名】明細書
【補正対象項目名】０００２
【補正方法】変更
【補正の内容】
【０００２】
携帯電話やＰＨＳ（登録商標）などの移動体通信機器で着信を表す手段は、音により聴覚に訴える方法（着信音）、振動により皮膚感覚に訴える方法（バイブレーター）、光により視覚に訴える方法（ＬＥＤ）の３種類が実用に供されている。